(57)【要約】【課題】外線からファクシミリ受信した画像データを記録する際、使用する紙の種類（更紙か裏紙）を、画像データの重要性等に応じて効果的に使い分けることができる通信端末装置を提供する。【解決手段】複合機１は、送信側装置の識別情報（発信元電話番号）に対して用紙の裏紙又は更紙を意味する用紙種類情報を対応付けて記憶するＥＥＰＲＯＭ４０と、ファクシミリ受信時に送信側装置の識別情報（発信元電話番号）を取得するＭＰＵ１０を備える。ＭＰＵ１０は、前記取得した識別情報（発信元電話番号）に基づいて、ＥＥＰＲＯＭ４０の内容を参照し、受信画像データを記録する前記用紙の種類を決定する。【選択図】        図１
2005184384.tif 000002
【特許請求の範囲】
【請求項１】
送信側装置の識別情報に対して用紙の裏紙又は更紙を意味する用紙種類情報を対応付けて記憶する記憶手段と、ファクシミリ受信時に送信側装置の識別情報を取得する手段と、前記取得した識別情報に基づいて、前記記憶手段の内容を参照し、受信画像データを記録する前記用紙の種類を決定する手段とを備えた通信端末装置。
【請求項２】
ファクシミリ受信時にダイヤルイン機能の着信番号に基づいて、受信画像データを記録する用紙の種類として、裏紙又は更紙のいずれかの用紙の種類を決定する手段を備えた通信端末装置。
【請求項３】
ファクシミリ受信時に送信側装置から送られてくるファクシミリ伝送制御手順を解析し、親展受信の有無を検出する検出手段と、検出した親展受信の有無に基づいて、受信画像データを記録する用紙の種類として、裏紙又は更紙のいずれかの用紙の種類を決定する手段を備えた通信端末装置。
【請求項４】
ファクシミリ受信時に送信側装置から送られてくるファクシミリ伝送制御手順を解析し、親展のボックス番号を取得する手段と、取得した親展のボックス番号に基づいて、受信画像データを記録する用紙の種類として、裏紙又は更紙のいずれかの用紙の種類を決定する手段を備えた通信端末装置。
【請求項５】
請求項１乃至請求項４のうちいずれか１項において、
受信画像データに対応するサイズの裏紙の有無を判定する判定手段と、
裏紙が無いと前記判定手段が判定した際、前記受信画像データの記録を更紙に変更する変更手段を備えたことを特徴とする通信端末装置。
【発明の詳細な説明】
【技術分野】
【０００１】
本発明は、受信画像データを更紙又は裏紙に記録できるファクシミリ通信を行う通信端末装置に関する。
【背景技術】
【０００２】
受信画像データを更紙又は裏紙に記録できるファクシミリ通信を行う通信端末装置としては、ファクシミリ装置が知られている。最近の環境保全への関心の高まりや、資源の有効利用の観点から、ファクシミリ装置においては、用紙を節約することが考慮されている。その具体例として、片面に画像データを記録済みの所定のサイズの用紙をカセットに収納し、未記録となっている他面に別の画像データを記録することが行われている（以下、両面未記録の用紙を「更紙」、片面が記録済みで片面のみが未記録の用紙を「裏紙」という）。前記ファクシミリ装置において、記録用紙に記録する処理を行なう際に、カセットに収納されている裏紙を使用するような設定をする場合がある。このような裏紙の利用は、資源の有効利用が図れ、経費を節減できるという利点がある。
【０００３】
例えば、特許文献１では、外線着信か、内線着信かに応じて更紙、又は裏紙を決定し、受信画像データを記録するようにしている。又、特許文献２では、予め、ファクシミリ受信時における裏紙使用を優先するように設定を行っておき、ファクシミリ受信時には、裏紙を更紙よりも優先して使用するようにしている。
【特許文献１】特開２００１−２６８３１２号公報
【特許文献２】特開２００２−２３７９２０号公報
【発明の開示】
【発明が解決しようとする課題】
【０００４】
しかし、特許文献１では、外線によるファクシミリ受信時には、一律に、裏紙又は更紙に対して受信画像データを記録するようにしている。又、特許文献２においても、ファクシミリ受信時における裏紙使用を優先するように設定した場合は、ファクシミリ受信時には、一律に裏紙使用が優先されることになる。
【０００５】
ところで、外線からのファクシミリ受信において、発信元に応じて、すなわち、発信元から送られてくる画像データの重要度（性）に応じて、更紙又は裏紙に受信画像データを記録したい場合がある。この場合には、特許文献１及び特許文献２の技術では、対応できない問題がある。
【０００６】
本発明の目的は、外線からファクシミリ受信した画像データを記録する際、使用する紙の種類（更紙か裏紙）を、画像データの重要性等に応じて効果的に使い分けることができる通信端末装置を提供することにある。
【課題を解決するための手段】
【０００７】
上記問題点を解決するために、請求項１に記載の発明は、送信側装置の識別情報に対して用紙の裏紙又は更紙を意味する用紙種類情報を対応付けて記憶する記憶手段と、ファクシミリ受信時に送信側装置の識別情報を取得する手段と、前記取得した識別情報に基づいて、前記記憶手段の内容を参照し、受信画像データを記録する前記用紙の種類を決定する手段とを備えた通信端末装置を要旨とするものである。
【０００８】
請求項２の発明は、ファクシミリ受信時にダイヤルイン機能の着信番号に基づいて、受信画像データを記録する用紙の種類として、裏紙又は更紙のいずれかの用紙の種類を決定する手段を備えた通信端末装置を要旨とするものである。
【０００９】
請求項３の発明は、ファクシミリ受信時に送信側装置から送られてくるファクシミリ伝送制御手順を解析し、親展受信の有無を検出する検出手段と、検出した親展受信の有無に基づいて、受信画像データを記録する用紙の種類として、裏紙又は更紙のいずれかの用紙の種類を決定する手段を備えた通信端末装置を要旨とするものである。
【００１０】
請求項４の発明は、ファクシミリ受信時に送信側装置から送られてくるファクシミリ伝送制御手順を解析し、親展のボックス番号を取得する手段と、取得した親展のボックス番号に基づいて、受信画像データを記録する用紙の種類として、裏紙又は更紙のいずれかの用紙の種類を決定する手段を備えた通信端末装置を要旨とするものである。
【００１１】
請求項５の発明は、請求項１乃至請求項４のうちいずれか１項において、受信画像データに対応するサイズの裏紙の有無を判定する判定手段と、裏紙が無いと前記判定手段が判定した際、前記受信画像データの記録を更紙に変更する変更手段を備えたことを特徴とする。
【発明の効果】
【００１２】
請求項１乃至請求項５の発明によれば、外線からファクシミリ受信した受信画像データを記録する際、使用する紙として更紙か裏紙かを、受信画像データの重要性等に応じて効果的に使い分けることができる。
【００１３】
請求項１の発明によれば、識別情報に応じて受信した画像データの重要性等を対応付けておくことにより、送信側装置の識別情報に応じて記録する用紙の種類(更紙か裏紙)を使い分けできる。
【００１４】
請求項２の発明によれば、ダイヤルイン機能の着信番号に応じて受信した画像データの重要性等を対応付けておくことにより、ダイヤルイン機能の着信番号に応じて用紙の種類(更紙か裏紙)を使い分けできる。
【００１５】
請求項３の発明によれば、親展受信の有無に応じて受信した画像データの重要性等を対応付けておくことにより、親展受信の有無に応じて用紙の種類(更紙か裏紙)を使い分けできる。
【００１６】
請求項４の発明によれば、親展のボックス番号に応じて受信した画像データの重要性等を対応付けておくことにより、親展のボックス番号に応じて用紙の種類(更紙か裏紙)を使い分けできる。
【００１７】
請求項５の発明によれば、受信画像データに対応する裏紙がない場合、他の記録用紙に対して、そのサイズに応じて受信画像データを拡大、縮小、又は等倍で記録することができる。
【発明を実施するための最良の形態】
【００１８】
（第１実施形態）
以下、本発明の通信端末装置を複写機能付きファクシミリ装置（以下、複合機という）に具体化した一実施形態を図１〜図４を参照して説明する。
【００１９】
図１に示すように、複合機１は、ＭＰＵ１０、ＲＯＭ２０、ＲＡＭ３０、ＥＥＰＲ０Ｍ４０、読取部５０、記録部６０、操作部７０、表示部８０、画像メモリ９０、コーデック１００、モデム１１０、ＮＣＵ１２０及び変倍部１４０から構成され、各部１０〜１２０、１４０がバス１３０を介してそれぞれ接続されている。ＭＰＵ１０は、複合機１を構成する各部を制御する。ＲＯＭ２０は、複合機１を制御するためのプログラムを記憶する。ＲＡＭ３０は、複合機１に関する各種情報を一時的に記憶する。
【００２０】
ＥＥＰＲＯＭ４０は、各種のフラグや設定値などのデータを記憶している。又、ＥＥＰＲＯＭ４０は、本発明の記憶手段として構成されており、識別情報記憶領域を備えている。図２は、識別情報記憶領域のデータ構造の概念を示す説明図である。同識別情報記憶領域には、特定の発信元の電話番号を設定登録するための発信元電話番号欄２００と、その特定の発信元電話番号と対応付けられた用紙種類欄２１０が設けられている。用紙種類欄２１０には、用紙種類情報として、「更紙」又は「裏紙」が設定登録される。任意の発信元から呼出があった際、ＭＰＵ１０は、その呼出に際して取得した識別情報がＥＥＰＲＯＭ４０の識別情報記憶領域に設定登録された特定の発信元電話番号に一致するか、否かを判定するようにされている。なお、識別情報については、後述する。
【００２１】
そして、取得された識別情報が識別情報記憶領域に設定登録された特定の発信元電話番号に一致する場合は、ＭＰＵ１０は、その一致した特定の発信元電話番号と対応付けられた用紙種類欄２１０に設定登録された用紙種類で受信画像データを後述の記録部６０で記録する。読取部５０は、原稿上の画像を読み取って、白黒２値の画像データをコーデック１００に出力する。
【００２２】
記録部６０は、電子写真方式のプリンタから構成され、ＦＡＸ動作において受信した画像データや、コピー動作において読取部５０での読み取りで得た画像データを図示しない給紙カセットから供給される定形サイズの記録用紙上に記録する。給紙カセットは、複数用意されており、各カセットに対して、用紙のサイズと用紙の種類とが設定されている。用紙のサイズとは、定形サイズである、Ａ系列とＢ系列とがある。Ａ系列では例えば、Ａ３，Ａ４横、Ａ４縦等があり、Ｂ系列では、Ｂ４，Ｂ５等がある。用紙の種類とは、更紙か、裏紙のことである。前記各カセットに対する用紙サイズと、用紙の種類の決定はユーザ操作により行う。本実施形態での記録部６０の給紙カセットは、裏紙を収納する第１カセットと、更紙を収納する第２カセットを含む。各カセットには、紙の有無検出センサ６０ａ，６０ｂが設けられるとともに、裏紙として設定される第１カセット及び更紙として設定される第２カセットの有無をそれぞれ検出するカセット検出センサ６０ｃ，６０ｄが設けられている。又、第１、第２カセットには、カセットに収納した用紙のサイズを検出する用紙サイズセンサ６０ｅ，６０ｆをそれぞれ備えている。なお、受信画像データはその大きさが、各カセットの用紙サイズと対応している場合、画像メモリ９０から受信画像データが読み出されて等倍にて処理される。
【００２３】
ＦＡＸ動作の画像データの記録について詳説すると、ＭＰＵ１０は前記呼出に際して取得した識別情報が、ＥＥＰＲＯＭ４０の識別情報記憶領域に設定登録された特定の発信元電話番号に一致した場合、その一致した特定の発信元電話番号に対応付けられた用紙種類に応じて第１カセットの裏紙又は第２カセットの更紙に受信画像データを記録する。又、ＭＰＵ１０は、前記呼出に際して識別情報がない場合には、第１カセットの裏紙に受信画像データを記録する。
【００２４】
操作部７０は、「通信（ＦＡＸ ）」動作又は「コピー」動作を設定するための通信／コピーキー、電話番号（ＦＡＸ 番号を含む）又はコピー部数等を入力するためのテンキー（＊，＃キーを含む）、原稿の読み取り動作を開始させるためのスタートキー等の各種操作キーを備えている。又、前記各種操作キーのうち、複数のキーを所定の手順にて操作を行うことにより、ＭＰＵ１０は、ＥＥＰＲ０Ｍ４０の識別情報記憶領域に対して、特定の発信元電話番号と、裏紙又は更紙とを対応付けして登録設定する。この登録設定は、発信元電話番号（送信側装置の電話番号）の発信元から送信されてくる画像データの重要度に応じてユーザが任意に設定することができる。例えば、操作者は重要度が低い発信元である場合には、裏紙で受信画像データを記録し、重要度が高い発信元である場合には、更紙で受信画像データを記録できるように設定することができる。表示部８０は、ＬＣＤから構成され、複合機１の動作状態等の各種情報の表示を行う。
【００２５】
画像メモリ９０は、読取部５０で読み取られてコーデック１００で符号化された画像データや、受信画像データを一時的に記憶する。コーデック１００は、読取部５０から入力された画像データをＭＨ，ＭＲ，ＭＭＲ，ＪＢＩＧ方式等に従って符号化（エンコード）する。又、コーデック１００は、画像メモリ９０から読み出された画像データを復号（デコード）する。
【００２６】
モデム１１０は、ＩＴＵ−Ｔ勧告Ｔ．３０に従ったファクシミリ伝送制御手順に基づいて、Ｖ．１７，Ｖ．２７ｔｅｒ，Ｖ．２９等に従った送信データの変調及び受信データの復調を行う。ＮＣＵ１２０は、電話回線Ｌ１，Ｌ２を閉結及び開放するとともに、相手先の電話番号に対応したダイヤル信号を送出する機能及び着信を検出する機能を備えている。変倍部１４０は、読取部５０にて読み取られた原稿の画像データや、ファクシミリ通信により受信した画像データを選択された記録部６０のカセットの用紙サイズに基づき自動的に、その用紙サイズに応じて拡大又は縮小する。
【００２７】
次に、複合機１の動作手順について、図３に示すフローチャートを用いて説明する。尚、この動作は、ＲＯＭ２０に記憶されたプログラムに基づき、ＭＰＵ１０の制御により実行される。なお、以下のＳはステップを表す。
【００２８】
常時は、ＭＰＵ１０は、着呼があるか（Ｓ１０）、操作者による送信処理があるか否か（Ｓ２０）を監視する。送信処理があると、ＭＰＵ１０は送信処理を行う（Ｓ３０）。
着呼があると、ＭＰＵ１０はコーラＩＤを検出したか否かを判定する（Ｓ４０）。なお、コーラＩＤとは、発信元電話番号を含む情報であって、ＩＴＵ−Ｔ勧告Ｖ２３に準拠したモデム信号として電話回線にてＮＴＴから送られるものである。すなわち、ＮＴＴは、発信電話番号サービスを行っており、受信前において発信元を特定できる発信元電話番号を含むコーラＩＤを送信する。又、ＭＰＵ１０は、コーラＩＤを検出する機能を備えており、電話回線から着呼の呼び出しがあると、ＮＣＵ１２０にて呼び出し信号が検知され、ＭＰＵ１０に知らされる。これに応じてＭＰＵ１０はモデム１１０に対してコーラＩＤの検知を行う設定をする。モデム１１０はコーラＩＤを検知すると、取り込んだコーラＩＤを復調することで、発信元電話番号を識別情報として取得する。従って、ＭＰＵ１０は、識別情報を取得する手段に相当する。
【００２９】
ＭＰＵ１０はコーラＩＤ（すなわち、識別情報）を検出しない場合には（Ｓ４０で「ＮＯ」）、ファクシミリ受信処理を行い（Ｓ１００）、記録用紙として第１カセットの裏紙を選択する（Ｓ１１０）。この後、ＭＰＵ１０はＳ９０に移行して選択した種類の用紙である裏紙に対して受信画像データを記録する（Ｓ１２０）。
【００３０】
図４は、Ｓ１２０の詳細なフローチャートである。ＭＰＵ１０はＳ１２１において第１カセットがあるか否かをカセット検出センサ６０ｃの検出信号に基づいて判定する。第１カセットがない場合は、ＭＰＵ１０は、Ｓ１２４に移行して、ファクシミリ通信により受信した画像データを、第２カセットにある更紙で記録する。この場合、ＭＰＵ１０は、選択された第２カセットの用紙サイズセンサ６０ｆの検出に基づき、自動的にその用紙サイズに応じて前記画像データを変倍部１４０にて拡大又は縮小した上で、記録部６０にて記録する。
【００３１】
Ｓ１２１において、ＭＰＵ１０は第１カセットがあることを判定すると、Ｓ１２２において、第１カセットに裏紙があるか否かを、有無検出センサ６０ａの検出信号に基づいて判定する。なお、同有無検出センサ６０ａの検出信号に基づいて、裏紙がない場合には、ＭＰＵ１０は、Ｓ１２５に移行して、表示部８０に裏紙が無い旨の警告表示をして、裏紙の補充を待つべくＳ１２１に移行する。
【００３２】
又、Ｓ１２２において、第１カセットに裏紙が有る場合は、Ｓ１２３において、第１カセットの用紙サイズセンサ６０ｅの検出に基づき、自動的にその用紙サイズに応じて前記画像データを変倍部１４０にて拡大又は縮小した上で、記録部６０にて記録する。
【００３３】
コーラＩＤを検出した場合には（Ｓ４０で「ＹＥＳ」）、Ｓ５０において、ＭＰＵ１０は、取得した識別情報がＥＥＰＲＯＭ４０の識別情報記憶領域に設定登録された特定の発信元電話番号に一致するか、否か(未登録か)を判定する。一致しない場合（Ｓ５０で「ＮＯ」）には、未登録であるとしてＳ１００に移行し、一致した場合（Ｓ５０で「ＹＥＳ」）には、一致した特定の発信元電話番号に対応付けられた用紙種類が「更紙」か、「裏紙」かを判定する（Ｓ６０）。Ｓ６０において、ＭＰＵ１０は「裏紙」であると判定すると、Ｓ１００に移行し、「更紙」であると判定すると、Ｓ７０でファクシミリ受信処理を行う。そして、ＭＰＵ１０は、記録用紙として第２カセットの更紙を選択する（Ｓ８０）。この後、ＭＰＵ１０はＳ９０に移行して選択した種類の用紙である更紙に対して受信画像データを記録する。この場合、Ｓ９０では、ＭＰＵ１０は、第２カセットの用紙サイズセンサ６０ｆの検出に基づき、自動的にその用紙サイズに応じてファクシミリ受信した画像データを変倍部１４０にて拡大又は縮小した上で、記録部６０にて記録する。  従って、ＭＰＵ１０は、用紙の種類を決定する手段に相当する。
【００３４】
このように第１実施形態は送信側装置（例えばファクシミリ装置）の識別情報（発信元電話番号）が登録されているか未登録かに応じて、受信する画像データの重要性を予め対応付けしておくことにより、記録する用紙（記録用紙）の種類(更紙か裏紙)を使い分けできる。又、第１実施形態では、識別情報が登録されている場合、識別情報の内容に応じて、記録用紙の種類(更紙か裏紙)を使い分けできる。又、第１実施形態では、請求項５を実現するためにＭＰＵ１０は、判定手段、変更手段に相当する。このように、第１実施形態では、受信画像データに対応する裏紙がない場合、他の記録用紙（更紙）に対して、そのサイズに応じて受信画像データを拡大、縮小、又は等倍で記録することができる。
【００３５】
第１実施形態においては、ファクシミリ伝送制御手順であるＴＳＩ信号については説明の便宜上省略している。なお、第１実施形態において、ＴＳＩ信号に発信元電話番号（ＦＡＸ番号）が格納されている場合、Ｓ４０の識別情報の検出処理を、コーラＩＤの代わりにモデム１１０にてＴＳＩ信号の発信元電話番号（ＦＡＸ番号）を送信側装置の識別情報として検出するようにしてもよい。なお、ＣＣＩＴＴ勧告により通信上の各種プロトコルが規定されており、勧告Ｔ．３０においてＴＳＩ信号（送信端末識別記号）に発信元側の電話番号（ＦＡＸ番号）を含めることができるようになっている。
【００３６】
又、識別情報として、発信元電話番号の全部を利用するのではなく、一部のデータを識別情報として利用してもよい。例えば、市外局番の有無に基づいて「更紙」又は「裏紙」を選択してもよい。また、市外局番の内容と記録用紙の種類とを対応付けて記憶しておき、市外局番の内容に基づいて「更紙」又は「裏紙」を選択してもよい。或いは国番号の有無に基づいて「更紙」又は「裏紙」を選択してもよい。また、国番号の内容に基づいて決定してもよい。
【００３７】
さらには、ＥＥＰＲＯＭ４０に、送信先の電話番号と短縮番号とを対応付けして設定登録する短縮番号設定登録領域を設け、この短縮番号設定登録領域に登録されている送信先の電話番号と、裏紙（又は更紙）を意味する用紙種類情報を対応付けしてもよい。なお、送信先の電話番号は、送信する場合に、短縮番号を操作部７０にて入力することにより、ＥＥＰＲＯＭ４０の短縮番号設定登録領域が読み込まれて送信先に短縮番号と対応付けられた電話番号を発呼する。
【００３８】
この場合、Ｓ４０において、識別情報を検出すると、Ｓ５０では、検出された識別情報が、短縮番号設定登録領域に設定登録されているか否かを判定する。Ｓ５０で設定登録されていると判定した場合には、Ｓ６０に移行し、登録されていない場合には、Ｓ１００に移行する。又、ワンタッチキーを備えた通信端末装置の場合、ＥＥＰＲＯＭ４０に、送信先の電話番号とワンタッチ番号とを対応付けして設定登録するワンタッチ番号設定登録領域を設け、このワンタッチ番号設定登録領域に登録されている送信先の電話番号と、裏紙（又は更紙）を意味する用紙種類情報を対応付けしてもよい。このように、短縮番号や、ワンタッチ番号を使うことにより、相手先の電話番号又はメールアドレスを簡単に指定（入力）できる。
【００３９】
なお、識別情報は、発信元情報を意味するが、発信元電話番号に限定するものではない。インターネットファクシミリ装置に具体化した場合、例えば、発信元アドレスが識別情報に相当する。
【００４０】
（第２実施形態）
次に、第２実施形態を図５及び図６を参照して説明する。なお、ハード構成については、図１に示す第１実施形態と同一であるため、同一構成には同一符号を付して、その詳細な説明を省略する。第２実施形態では、第１実施形態の構成中、ＥＥＰＲ０Ｍ４０は、識別情報記憶領域を備えていない代わりに、ダイヤルイン機能の着信番号を記憶する手段とされている。すなわち、ＥＥＰＲ０Ｍ４０はダイヤルイン機能の着信番号として、受信側装置（本実施形態では、複合機１）での着信番号を記憶する記憶領域を備えている。
【００４１】
図５は、該記憶領域のデータ構造の概念を示す説明図である。該記憶領域には、着信番号欄３００と、その特定の着信番号と対応付けられた用紙種類欄３１０が設けられている。用紙種類欄３１０には、用紙種類情報として、「更紙」又は「裏紙」が設定登録される。本実施形態では、着信番号欄３００で、着信番号１の場合には「裏紙」、着信番号２の場合には「更紙」の用紙種類が設定されている。任意の発信元から呼出があった際、ＭＰＵ１０は、その呼出に際して取得したダイヤルインの着信番号がＥＥＰＲＯＭ４０の記憶領域に設定登録された特定の着信番号に一致するか、否かを判定するようにされている。
【００４２】
そして、取得された着信番号が記憶領域に設定登録された特定の着信番号に一致する場合は、ＭＰＵ１０は、その一致した特定の着信番号と対応付けられた用紙種類欄３１０に設定登録された用紙種類に対して受信画像データを後述の記録部６０にて記録する。ＭＰＵ１０は、裏紙か更紙かを決定する手段に相当する。
【００４３】
なお、ダイヤルインの処理手順には、従来より用いられてきたプッシュトーン信号（ＤＴＭＦ信号）で着信番号を指定する通常のダイヤルイン機能とともに、近年のナンバーディスプレイ機能などとともに用いられ、着信番号が変調された信号で指定されるモデムダイヤルインの２種類がある。
【００４４】
通常のダイヤルインサービスでは、外部の送信側装置（例えばファクシミリ装置）からダイヤルインの発呼がなされると、まず電話交換機（図示しない）が受信側装置（複合機１）に接続された電話回線Ｌ１，Ｌ２の極性を反転し、続けて１６Ｈｚの呼出信号を送信する。受信側装置では、呼出信号を検出したら直流ループを閉結、すなわち一次応答をする。そして、電話交換機においてその回線接続が確認されると、電話交換機から受信側装置に対して内線指定信号がプッシュトーン信号（ＤＴＭＦ信号）で送信される。本実施形態では、受信側装置（複合機１）が、このプッシュトーン信号（ＤＴＭＦ信号）を検出して、すなわち、内線指定信号（着信番号）を検出することにより、後述するファクシミリ受信処理行い、受信画像データを記録用紙に記録する。
【００４５】
又、本実施形態では、モデムダイヤルインのダイヤルインに対しても対応可能とされている。モデムダイヤルインサービスでは、通常のダイヤルインサービスと比較し、呼出信号が送出される前に各種の情報の授受を行い、その情報中に着信番号等が含まれる。外部の送信側装置（例えばファクシミリ装置）からダイヤルインの発呼がなされると、まず電話交換機（図示しない）が受信側装置（複合機１）に接続された電話回線Ｌ１，Ｌ２の極性を反転し、続けて通信端末装置起動信号を送信する。受信側装置（複合機１）側では、この通信端末装置起動信号を検出したら直流ループを閉結、すなわち一次応答をする。受信側装置（複合機１）が一次応答を行った後、電話交換機から各種の情報がモデム信号として送信される。その中に、着信番号（着番号）等の情報が含まれている。受信側装置（複合機１）は、前記モデム信号を受信して、着信番号を検出する。
【００４６】
次に、図６は複合機１の動作手順を示すフローチャートである。なお、Ｓ２１０〜Ｓ２３０，Ｓ２６０〜Ｓ３１０は、図３に示す第１実施形態のＳ１０〜Ｓ３０，Ｓ７０〜Ｓ１２０とそれぞれ同様であるため、説明を省略する。
【００４７】
Ｓ２１０にて着呼が検出されると、ＭＰＵ１０は着信番号１を取得したか否かを判定する（Ｓ２４０）。ＭＰＵ１０は着信番号１を検出した場合には、着信番号１に対応した用紙種類欄３１０を参照し、その参照結果に基づいて、Ｓ２９０に移行する。着信番号１を検出しない場合には、ＭＰＵ１０は、着信番号２を取得したか否かを判定する（Ｓ２５０）。ＭＰＵ１０は着信番号２を検出した場合には、用紙種類欄３１０を参照し、その参照結果に基づいて、Ｓ２６０に移行する。ＭＰＵ１０は着信番号２を検出しない場合には、Ｓ２９０に移行する。
【００４８】
このようにして、ＭＰＵ１０は、取得した着信番号に応じて、Ｓ２６０又はＳ２９０に移行し、ファクシミリ受信処理を行った後、Ｓ２７０で更紙を選択し、又はＳ３００で、裏紙を選択することにより、それらの記録用紙に受信画像データを記録する。
【００４９】
このように第２実施形態は、着信番号に応じて受信した画像データの重要性等を対応付けておくことにより、送信側装置（例えばファクシミリ装置）が付与した着信番号に応じて、記録する記録用紙の種類(更紙か裏紙)を使い分けできる。
【００５０】
（第３実施形態）
次に、第３実施形態を図７〜図１０を参照して説明する。なお、ハード構成については、図１に示す第１実施形態と同一であるため、同一構成には同一符号を付して、その詳細な説明を省略する。なお、第３実施形態では、ＥＥＰＲ０Ｍ４０の識別情報記憶領域は省略されている。
【００５１】
ファクシミリ通信に関してはＩＴＵにより手順及び機能の標準（標準手順及び標準機能）が定められているが、そのような標準を妨げない範囲で標準以外の機能（非標準機能）を設定し、非標準手順の実行により利用することも認められている。そこで、第３実施形態では、この非標準手順の機能の一つとして親展機能と称される機能を利用している。すなわち、本実施形態では、複合機１のＭＰＵ１０は、送信側装置との間で行うファクシミリ伝送制御手順を解析することにより、親展受信を行うための非標準手順の有無を検出するようにしている。
【００５２】
親展機能を実現する受信側装置として、複合機１は、受取人を指定して送信側装置から原稿のデータが送信された場合に、ＲＡＭ３０の一部領域を受信画像データ用に確保することにより設定されている親展ボックスに一旦蓄積するようにしている。そして、複合機１では受取人が誰であるかを報知し、指定された受取人が予め登録してある暗証番号を入力した場合にのみ受信したデータが元の原稿の状態に表示またはプリントアウトされるようにしたものである。
【００５３】
以下、詳細に説明する。
親展機能を利用してファクシミリ通信を行なう場合、受信側の複合機１において親展者名及び暗証番号の設定が事前に必要であり、又、複合機１が送信側装置から親展通信を受信した場合にはその指定されている親展のボックス番号, 受信時刻, 発信元電話番号, 親展データが記憶された親展ボックス領域の開始アドレスを記憶する必要がある。このため、図７に示されているように、ＲＡＭ３０にはそれらを記憶するための親展テーブル領域４００Ｔが設けられている。具体的には、図８に示されているように、親展テーブル領域４００Ｔには、ボックス番号領域４０１，親展者名領域４０２，暗証番号領域４０３，受信時刻領域４０４，発信元電話番号領域４０５，親展ボックス開始アドレス領域４０６ が設けられている。
【００５４】
ボックス番号領域４０１は本実施形態では、「１」から「８」までの８領域が予め用意されており、それぞれのボックス番号に対応した親展者名領域４０２及び暗証番号領域４０３に受信側の複合機１で登録された親展者名及び暗証番号が対応付けられて登録される。又、受信側の複合機１が親展データを受信した場合には、ファクシミリ伝送制御手順の解析に基づいて、ボックス番号を取得し、取得したボックス番号に対応してその受信時刻が受信時刻領域４０４に記憶される。さらに、複合機１では、その親展データの送信側装置（ファクシミリ装置）の電話番号が発信元電話番号領域４０５に、親展ボックス領域４００Ｂ中のその親展データが記憶されている開始アドレスが親展ボックス開始アドレス領域４０６にそれぞれ記憶される。
【００５５】
例えば、ある人物「田中」が親展機能による受信を希望する場合、自身のボックス番号 （例えば「１」）と、親展者名（たとえば自身の名前「田中」） と、暗証番号（例えば「５６７８」）とを操作部７０を操作して複合機１のＲＡＭ３０に予め登録する。すると、受信した親展データを記憶するための親展ボックス領域４００ＢがＲＡＭ３０に確保され、ボックス番号「１」に対応して親展者名「田中」及び暗証番号「５６７８」が親展テーブル領域４００Ｔのボックス番号領域４０１，親展者名領域４０２及び暗証番号領域４０３にそれぞれ登録される。
【００５６】
従って、前記登録が予め行なわれた複合機１が親展通信により例えば非標準手順によりボックス番号「１」が指定された親展データを受信した場合、必ずＲＡＭ３０の親展ボックス領域４００Ｂにボックス番号「１」の親展データとして記憶される。併せて、親展テーブル領域４００Ｔのボックス番号「１」に対応する受信時刻領域４０４にはＭＰＵ１０が備えている図示しないタイマから読み取られた受信時刻（たとえば「２００３１０３０」、即ち２００３年１０月３０日）が、記憶される。さらに、また発信元電話番号領域４０５には送信側装置（ファクシミリ装置）の電話番号が、親展ボックス開始アドレス領域４０６にはその親展データが記憶された親展ボックスの開始アドレス（たとえば「８０００」）がそれぞれ記憶される。なお、前記親展データは、受信時には、記録部６０によりプリントアウトされることもなく、表示部８０により表示されることもない。
【００５７】
そして、そのボックス番号「１」に対応して予め登録されている暗証番号「５６７８」が操作部７０から入力された場合にのみ、ＭＰＵ１０はボックス番号「１」に対応する親展ボックス開始アドレス領域４０６からアドレスを読み出し、それに従って親展データをＲＡＭ３０の親展ボックス領域４００Ｂから読み出す。読み出された親展データはコーデック１００で復号された後、記録部６０により更紙に印刷される。
【００５８】
図９は、複合機１の動作手順を示すフローチャートである。
なお、Ｓ３１０〜Ｓ３３０，Ｓ３９０〜４００は、図３に示す第１実施形態のＳ１０〜Ｓ３０，Ｓ１１０〜Ｓ１２０と同様であるため、説明を省略する。
【００５９】
受信側の複合機１ではファクシミリ受信のとき（Ｓ３１０）、データを受信した場合、Ｓ３４０で、ファクシミリ受信処理を行う。続いて、ＭＰＵ１０はファクシミリ伝送制御手順を解析してそれが親展データであるか否かを判定する (Ｓ３５０)。すなわち、ＭＰＵ１０は親展受信か否かを判定する。受信したデータ（受信データ）が親展データである場合、ＭＰＵ１０はその親展データをＲＡＭ３０の親展ボックス領域４００Ｂに記憶する。さらに、ＭＰＵ１０はその親展データが受信された時刻（年月日），発信元電話番号（送信側装置（ファクシミリ装置）の電話番号）及びその親展データが記憶された親展ボックス領域４００Ｂの開始アドレスを親展テーブル領域４００Ｔのボックス番号「１」の領域に対応する各領域４０４，４０５及び４０６に記憶させる。
【００６０】
そして、ＭＰＵ１０は親展データを受信したこと及びそのボックス番号「１」に基づいて指定された受取人の人物名（親展者名）を親展テーブル領域４００Ｔの親展者名領域４０２ から読み出して親展受信通知を記録部６０から出力するか、または表示部８０に表示する（Ｓ３６０）。なお、受信したデータが親展データ以外のデータである場合には、Ｓ２９０で、第１実施形態と同様に記録用紙として記録部６０の第１カセットの裏紙を選択する（Ｓ３９０，Ｓ４００）。この結果、ＭＰＵ１０は裏紙で受信画像データを記録する。
【００６１】
図１０は、操作部７０を操作することにより、複合機１が、親展ボックス領域４００Ｂから親展データを出力する場合のフローチャートである。送信側装置で親展データの受取人として指定した人物がボックス番号と、それに対応する正しい暗証番号を操作部７０にて入力すると、ＭＰＵ１０は、指定された親展データをＲＡＭ３０の親展ボックス領域４００Ｂから読み出して記録部６０の第２カセットの更紙で受信画像データ（親展データ）を記録する（Ｓ４１０）。
【００６２】
なお、ＭＰＵ１０は、Ｓ３６０で親展受信通知が出力された後は、図示しないタイマにより経過時間 (たとえば一週間, 一ヶ月) の監視を行なうと共に親展データが親展ボックス領域４００Ｂから出力されたか否かのチェックを行っている。すなわち、ＭＰＵ１０は、送信側において親展データの受取人として指定した人物が暗証番号を入力して親展データの取り出しを指示したか否かを反復してチェックするようにしている。そして、親展データの取り出しが指示される以前に所定時間が経過した場合には、ＭＰＵ１０はＲＡＭ３０の親展ボックス領域４００Ｂに記憶されている親展データを消去する。
【００６３】
ここで、ＭＰＵ１０は、請求項３の発明を実現するために、親展受信の有無を検出する検出手段に相当するとともに、裏紙か更紙かを決定する手段に相当する。
このように、第３実施形態は、親展受信か否かに応じて受信した画像データの重要性等を対応付けておくことにより、送信側装置（例えばファクシミリ装置）からの受信が親展受信か否かに応じて、記録する用紙の種類(更紙か裏紙)を使い分けできる。
【００６４】
（第４実施形態）
次に、第４実施形態を、図９、図１１、図１２を参照して説明する。第４実施形態は、第３実施形態とハード構成については同一であるため、同一構成には同一符号を付して、その詳細な説明を省略し、異なるところを中心に説明する。
【００６５】
図１１は、親展テーブルの内容を示す模式図である。前記第３実施形態は、親展テーブル領域４００Ｔにはボックス番号領域４０１，親展者名領域４０２，暗証番号領域４０３，受信時刻領域４０４，発信元電話番号領域４０５，親展ボックス開始アドレス領域４０６を設けていたが、第４実施形態では、さらに、特定のボックス番号領域４０１と対応付けられた用紙種類領域４０７が設けられている。用紙種類領域４０７には、用紙種類情報として、「更紙」又は「裏紙」が予め操作部７０にて設定登録される。
【００６６】
第４実施形態では、請求項４の発明を実現するため、ＭＰＵ１０は、親展のボックス番号を取得する手段に相当するとともに、裏紙か更紙かを決定する手段に相当する。
第４実施形態においても、ＭＰＵ１０は、図９と同じ動作手順で動作する。図１２は、操作部７０を操作することにより、複合機１が、親展ボックス領域４００Ｂから親展データを出力する場合のフローチャートである。
【００６７】
同図に示すように、送信側装置で親展データの受取人として指定した人物がボックス番号と、それに対応する正しい暗証番号を操作部７０にて入力する（Ｓ５００）。すると、ＭＰＵ１０は、指定されたボックス番号に対応するＲＡＭ３０の用紙種類領域４０７を読込み、読込した用紙種類領域４０７のボックス番号Ｎが、更紙か、裏紙に対応付けられているか否かをそのボックス番号Ｎに対応した用紙種類領域４０７に格納した内容に基づいて判定する（Ｓ５１０）。ボックス番号Ｎが更紙に対応付けられている場合は、ＭＰＵ１０は、Ｓ５２０に移行して更紙を選択し、ボックス番号Ｎが裏紙に対応付けられている場合はＳ５４０に移行して裏紙を選択する。
【００６８】
そして、Ｓ５２０で用紙種類が、更紙が選択された場合は、指定されたボックス番号に対応する親展ボックス開始アドレス領域４０６からアドレスを読み出し、それに従って親展データをＲＡＭ３０の親展ボックス領域４００Ｂから読み出す。読み出された親展データはコーデック１００で復号された後、Ｓ５３０において記録部６０により更紙に印刷される。又、Ｓ５４０で用紙種類が、裏紙が選択された場合は、指定されたボックス番号に対応する親展ボックス開始アドレス領域４０６からアドレスを読み出し、それに従って親展データをＲＡＭ３０の親展ボックス領域４００Ｂから読み出す。読み出された親展データはコーデック１００で復号された後、Ｓ５５０において記録部６０により裏紙に印刷される。
【００６９】
このように、第４実施形態では、親展のボックス番号に応じて受信した画像データの重要性等を対応付けておくことにより、親展のボックス番号に応じて、記録する用紙の種類(更紙か裏紙)を使い分けできる。  
【図面の簡単な説明】
【００７０】
【図１】複合機の概略回路図。
【図２】識別情報記憶領域のデータ構造の概念を示す説明図。
【図３】第１実施形態のＭＰＵ１０の動作フローチャート。
【図４】第１実施形態のＭＰＵ１０の動作フローチャート。
【図５】第２実施形態のＥＥＰＲ０Ｍ４０の記憶領域のデータ構造の概念を示す説明図。
【図６】第２実施形態のＭＰＵ１０の動作フローチャート。
【図７】第３実施形態のＲＡＭ３０の領域設定を示す模式図。
【図８】親展テーブルの内容を示す模式図。
【図９】第３実施形態のＭＰＵ１０の動作フローチャート。
【図１０】第３実施形態のＭＰＵ１０の動作フローチャート。
【図１１】親展テーブルの内容を示す模式図。
【図１２】第４実施形態のＭＰＵ１０の動作フローチャート。
【符号の説明】
【００７１】
１…複合機
１０…ＭＰＵ（識別情報を取得する手段、用紙の種類を決定する手段、親展のボックス番号を取得する手段、親展受信の有無を検出する検出手段、裏紙か更紙かを決定する手段、判定手段、変更手段）
４０…ＥＥＰＲＯＭ（記憶手段）
【図１】
2005184384.tif 000003
【図２】
2005184384.tif 000004
【図３】
2005184384.tif 000005
【図４】
2005184384.tif 000006
【図５】
2005184384.tif 000007
【図６】
2005184384.tif 000008
【図７】
2005184384.tif 000009
【図８】
2005184384.tif 000010
【図９】
2005184384.tif 000011
【図１０】
2005184384.tif 000012
【図１１】
2005184384.tif 000013
【図１２】
2005184384.tif 000014